(57)【要約】【課題】吹出口から誤って水が浸入した場合に、モータ部へ水が浸入するのを抑制できる空気調和装置を提供することを目的とする。【解決手段】吹出口２は、本体ケース１の天面に位置し、吹出口２の下方に送風手段６を備え、送風手段６は、吹出口２と吸込口と３の間の風路に設けたモータ保持部２３と、このモータ保持部２３に固定されたモータ部２４と、このモータ部２４の下面から鉛直下方に伸びたモータ軸２９に固定された羽根部２５とからなり、羽根部２５は、椀形状でモータ軸２９に固定される主板３０と、この主板３０の下面から下方へ伸びた複数の羽根３１とからなり、主板３０は、モータ部２４の下部を覆うと共に、本体ケース１の天面から見ると、モータ保持部２３より大きい構成とし、主板３０の上面に水進入防止手段を設けたので、吹出口２から誤って水が浸入した場合に、モータ部２４へ水が浸入するのを抑制できる。【選択図】図８
2015045259.tif 000002
【特許請求の範囲】
【請求項１】
吸込口と吹出口を有する箱形状の本体ケースと、前記吸込口に設けられた空気調和手段と、この空気調和手段と前記吹出口との間に設けた送風手段とからなり、前記吹出口は、前記本体ケースの天面に位置し、前記吹出口の下方に前記送風手段を備え、前記送風手段は、前記吹出口と前記吸込口との間の風路に設けたモータ保持部と、このモータ保持部に固定されたモータ部と、このモータ部の下面から鉛直下方に伸びたモータ軸に固定された羽根部とからなり、前記モータ保持部は、前記吹出口と前記吸込口との間の上下方向に伸びた風路である前記本体ケースから内方へ伸びた複数の足部分と、これらの複数の足部分に支持されると共に、前記モータ部を固定可能なモータ下受け部分と、前記モータ部の上面を覆うモータカバー部分とからなり、前記羽根部は、椀形状でモータ軸に固定される主板と、この主板の下面から下方へ伸びた複数の羽根とからなり、前記主板は、前記モータ部の下部を覆うと共に、前記本体ケースの天面から見ると、前記モータ下受け部分と前記モータカバー部分より大きい構成とし、前記主板の上面に水進入防止手段を設けたことを特徴とする空気調和装置。
【請求項２】
前記水進入防止手段は、前記主板の上面で、前記モータ部の外方から上方へ伸びた円環形状のリブ部であることを特徴とする請求項１に記載の空気調和装置。
【請求項３】
前記リブ部は、前記羽根部の前記主板の上端より突出していることを特徴とする請求項２に記載の空気調和装置。
【請求項４】
前記モータ保持部は、周縁部から下方に伸びた円環形状の整流リングを有し、前記本体ケースの天面から見ると、前記整流リングの外周面と、前記リブ部の外周面とは実質的に同一面であることを特徴とする請求項３に記載の空気調和装置。
【請求項５】
前記モータ保持部の上面は上方へ凸形状であることを特徴とする請求項１から４のいずれかに記載の空気調和装置。
【発明の詳細な説明】
【技術分野】
【０００１】
本発明は、一般家庭や事務所等で使用される空気調和装置に関するものである。
【背景技術】
【０００２】
従来、この種の空気調和装置は、吸込口と吹出口を有する箱形状の本体ケースと、この本体ケース内に設けた空気調和手段と、この空気調和手段と前記吹出口との間に設けた送風手段とからなり、前記吹出口は、前記本体ケースの天面に位置し、前記吹出口の下方に前記送風手段を備え、前記送風手段は、前記吹出口と前記吸込口との間の風路に設けたモータ保持部と、このモータ保持部に固定されたモータ部と、このモータ部の側面から上下方向に伸びたモータ軸に固定された羽根部とからなり、羽根部の下方にモータ部を備え、前記吸込口と前記吹出口は、本体ケースの側面に設けたものが知られている。（例えば、特許文献１参照）に設けられた。
【先行技術文献】
【特許文献】
【０００３】
【特許文献１】実開平０３−８６０４７号公報
【発明の概要】
【発明が解決しようとする課題】
【０００４】
上記従来例の課題は、空気調和装置の吹出口から誤って水が浸入した場合に、モータ部へ水が浸入するのを、更に抑制することである。
【０００５】
すなわち、従来は、吹出口は、本体ケースの側面に備えているので、吹出口から水が、本体ケース内に浸入しにくいものであった。ところが、仮に、吹出口から水が浸入すると、モータ部が、本体ケースの下方に位置するので、結果として、モータ部へ水が流れ込む可能性があった。
【０００６】
そこで本発明は、空気調和装置の吹出口から誤って水が浸入した場合に、モータ部へ水が浸入するのを、更に抑制することを目的とするものである。
【課題を解決するための手段】
【０００７】
そして、この目的を達成するために、本発明は、吸込口と吹出口を有する箱形状の本体ケースと、前記吸込口に設けられた空気調和手段と、この空気調和手段と前記吹出口との間に設けた送風手段とからなり、前記吹出口は、前記本体ケースの天面に位置し、前記吹出口の下方に前記送風手段を備え、前記送風手段は、前記吹出口と前記吸込口との間の風路に設けたモータ保持部と、このモータ保持部に固定されたモータ部と、このモータ部の下面から鉛直下方に伸びたモータ軸に固定された羽根部とからなり、前記モータ保持部は、前記吹出口と前記吸込口との間の上下方向に伸びた風路である前記本体ケースから内方へ伸びた複数の足部分と、これらの複数の足部分に支持されると共に、前記モータ部を固定可能なモータ下受け部分と、前記モータ部の上面を覆うモータカバー部分とからなり、前記羽根部は、椀形状でモータ軸に固定される主板と、この主板の下面から下方へ伸びた複数の羽根とからなり、前記主板は、前記モータ部の下部を覆うと共に、前記本体ケースの天面から見ると、前記モータ下受け部分と前記モータカバー部分より大きい構成とし、前記主板の上面に水進入防止手段を設けたことを特徴としたものである。
【０００８】
これにより、所期の目的を達成するものである。
【発明の効果】
【０００９】
以上のように本発明は、吸込口と吹出口を有する箱形状の本体ケースと、前記吸込口に設けられた空気調和手段と、この空気調和手段と前記吹出口との間に設けた送風手段とからなり、前記吹出口は、前記本体ケースの天面に位置し、前記吹出口の下方に前記送風手段を備え、前記送風手段は、前記吹出口と前記吸込口との間の風路に設けたモータ保持部と、このモータ保持部に固定されたモータ部と、このモータ部の下面から鉛直下方に伸びたモータ軸に固定された羽根部とからなり、前記モータ保持部は、前記吹出口と前記吸込口との間の上下方向に伸びた風路である前記本体ケースから内方へ伸びた複数の足部分と、これらの複数の足部分に支持されると共に、前記モータ部を固定可能なモータ下受け部分と、前記モータ部の上面を覆うモータカバー部分とからなり、前記羽根部は、椀形状でモータ軸に固定される主板と、この主板の下面から下方へ伸びた複数の羽根とからなり、前記主板は、前記モータ部の下部を覆うと共に、前記本体ケースの天面から見ると、前記モータ下受け部分と前記モータカバー部分より大きい構成とし、前記主板の上面に水進入防止手段を設けたことを特徴としたものである。
【００１０】
すなわち、羽根部は、椀形状でモータ軸に固定される主板と、この主板の下面から下方へ伸びた複数の羽根とからなり、主板は、モータ部の下部を覆うと共に、本体ケースの天面から見ると、前記モータ下受け部分と前記モータカバー部分より大きい構成とし、主板の上面に水進入防止手段を設けたので、吹出口から誤って水が浸入した場合に、モータ部へ水が浸入するのを抑制できる。
【図面の簡単な説明】
【００１１】
【図１】本発明の実施の形態１の空気調和装置の外形を示す斜視図
【図２】同空気調和装置の正面から見た清浄風路全閉時の断面図
【図３】同空気調和装置の風量割合調節手段の斜視図
【図４】同空気調和装置の側面から見た清浄風路全開時の垂直断面図
【図５】同空気調和装置の上から見た清浄風路全開時の水平断面図
【図６】同空気調和装置の側面から見た清浄風路全閉時の垂直断面図
【図７】同空気調和装置の上から見た清浄風路全閉時の水平断面図
【図８】同空気調和装置の送風手段の垂直断面図
【発明を実施するための形態】
【００１２】
以下、本発明の実施の形態について図面を参照しながら説明する。
【００１３】
（実施の形態１）
図１から図３に示すように、本実施形態の空気調和装置は、吹出口２と吸込口３を有する本体ケース１と、この本体ケース１内に、送風手段６と、風量割合調節手段７と、空気調和手段である清浄フィルタ４と、加湿手段５とを備えている。
【００１４】
本体ケース１は、縦長箱形状で、天面には、吹出口２を設け、左右両側面には、吸込口３を備えている。吸込口３の内方には、第１の吸込口８と第２の吸込口９とを備えている。第１の吸込口８と第２の吸込口９とは、縦長四角形状で、上下に仕切り板１０によって仕切られている。第１の吸込口８は、第２の吸込口９の上方に設けられている。第１の吸込口８の開口面積は、第２の吸込口９の開口面積より大きい。なお、本体ケース１の少なくとも一方側の側面下部に第２の吸込口９を設け、第２の吸込口９の上方に第１の吸込口８を備えていれば良い。
【００１５】
清浄フィルタ４は、吸込口３と、第１の吸込口８および第２の吸込口９との間に設けられている。具体的には、第１の吸込口８および第２の吸込口９の外方で、本体ケース１における左右に１枚ずつ設けられている。清浄フィルタ４は、空気中の粉塵が除去できれば良く、例えば、高性能フィルタ、中性能フィルタ、あるいは静電フィルタなどがある。
【００１６】
加湿手段５は、第２の吸込口９の間に設けられている。加湿手段５は、椀形状の貯水容器２０と、この貯水容器２０の水に下端の開口が浸漬した筒形状の加湿フィルター２１とからなる。加湿フィルター２１は、吸い上げ式で、貯水容器２０の水を吸い上げられるものであれば良い。
【００１７】
送風手段６は、第１の吸込口８より上方で、加湿手段５と吹出口２との間に設けている。送風手段６としては、ターボファン、軸流送風機等などがある。
【００１８】
送風手段６によって送風される風路は、清浄風路１１と加湿清浄風路１２とがある。
【００１９】
清浄風路１１は、送風手段６によって、第１の吸込口８から吸い込まれた空気が、清浄フィルタ４、送風手段６を介して吹出口２へ送風される風路である。加湿清浄風路１２は、送風手段６によって、第２の吸込口９から吸い込まれた空気が、清浄フィルタ４、加湿手段５、送風手段６を介して吹出口２へ送風される風路である。すなわち、送風手段６によって、清浄風路１１と加湿清浄風路１２との両方の風路から送風される。
【００２０】
風量割合調節手段７は、清浄風路１１における清浄フィルタ４と送風手段６との間であると共に、加湿清浄風路１２における加湿手段５と送風手段６との間に設けている。この風量割合調節手段７は、清浄風路１１の風量と加湿清浄風路１２の風量との割合を調節できる。
【００２１】
これにより、風量割合調節手段７は、清浄風路１１の風量と加湿清浄風路１２の風量との割合を調節できるので、加湿清浄風量だけを増加させることができる。結果として、加湿効率が向上する。
【００２２】
具体的には、風量割合調節手段７は、本体ケース１内に回動自在に設けられた円筒１３と、この円筒１３の側周面と接する遮蔽部１４と、円筒を回動する円筒回転手段とからなる。
【００２３】
円筒１３は、上下方向が軸方向で側周面に少なくとも１つの側面開口１６を備えている。
【００２４】
清浄風路１１は、円筒１３の側面開口１６から上面の上面開口１７へと連通している。加湿清浄風路１２は、円筒１３の下面の下面開口１８から上面開口１７へと連通している。ここで、円筒回転手段によって、円筒１３を回動させると遮蔽部１４によって側面開口１６の開口面積が変化するものである。
【００２５】
遮蔽部１４は、本体ケース１内における、本体ケース１前面側と背面側とが、内方に突出し、先端が、円筒１３の外周の側周面に沿う形状である。
【００２６】
円筒回転手段は、円筒１３の上端側面に設けられた円環状のギア２２と、本体ケース１内に設けたステッピングモータ（図示せず）と、このステッピングモータによって回動する歯車（図示せず）とからなる。ステッピングモータによって、歯車が回動し、この歯車と噛み合っているギア２２が回動することにより、円筒１３が回動するものである。
【００２７】
以上の構成で、図４から図７に示すように、円筒１３が回動し、側面開口１６と遮蔽部１４とが重なると、重なった部分だけ、側面開口１６が小さくなる。これにより、風量割合調節手段７は、円筒１３を回動させ、遮蔽部１４によって側面開口１６を全開から全閉まで変化させることが出来る。すなわち、側面開口１６を全開から全閉することができるので、清浄風路１１を遮蔽し、加湿清浄風路１２のみとなり、加湿清浄風量だけを増加させることができる。
【００２８】
送風手段６は、空気調和手段の清浄フィルタ４と吹出口２との間に設けられている。図８に示すように、送風手段６は、モータ保持部２３と、モータ部２４と、羽根部２５とからなる。
【００２９】
モータ保持部２３は、吹出口２と吸込口３との間の上下方向に伸びた風路に設けられている。モータ保持部２３は、足部分２６と、モータ下受け部分２７と、モータカバー部分２８とからなる。
【００３０】
足部分２６は、複数有し、本体ケース１から放射状に内方へ伸び、垂直断面形状が、下方か開口したＵ字形状である。
【００３１】
モータ下受け部分２７は、上方が開口した椀形状で、底面に円形の孔３４を備え、周縁部には本体ケース１から複数の足部分２６が伸びている。足部分２６とモータ下受け部分２７とは、一体で樹脂成型されている。つまり、モータ下受け部分２７は、複数の足部分２６によって、支持されている。モータ部２４は、モータ下受け部分２７に固定可能である。モータ下受け部分２７の上方から、モータ部２４のモータ軸２９を下方に向け挿入すると、モータ下受け部分２７の孔３４から、モータ部２４の一部と、モータ軸２９とが突出した状態で固定できる。
【００３２】
モータカバー部分２８は、円板形状で、モータ部２４の上面を覆うと共に、モータ下受け部分２７の上方の開口を覆うように装着される。
【００３３】
モータ部２４は、モータ保持部２３であるモータ下受け部分２７に固定されモータ部２４の下面から鉛直下方に伸びたモータ軸２９を備えている。このモータ軸２９に、羽根部２５が、固定されている。
【００３４】
羽根部２５は、椀形状でモータ軸２９に固定される主板３０と、この主板３０の下面から下方へ伸びた複数の羽根３１とからなる。主板３０は、モータ部２４の下部を覆うと共に、本体ケース１の天面から見ると、モータ下受け部分２７とモータカバー部分２８より大きい構成である。
【００３５】
また、本実施形態における特徴点は、羽根部２５の主板３０の上面に水進入防止手段を設けた点である。具体的には、水進入防止手段は、主板３０の上面で、モータ部２４の外方から上方へ伸びた円環形状のリブ部３２である。
【００３６】
これにより、リブ部３２内に、モータ部２４を備えているので、吹出口２から誤って水が浸入した場合に、モータ部２４の下部を覆うリブ部３２外方の主板３０内に、水が浸入しても、主板３０の上面から上方へ伸びた円環形状のリブ部３２によって、モータ部２４への水の浸入を抑制できる。また、主板３０は、曲面の凹形状なので、モータ部２４の下部を覆うリブ部３２外方の主板３０内に、水が浸入しても、羽根部２５が回転すると、遠心力で、主板３０上面の曲面に沿って外方へ飛び出し、モータ部２４への水の浸入を抑制できる。
【００３７】
また、リブ部３２は、羽根部２５の主板３０の上端より突出している。
【００３８】
これにより、モータ部２４の下部を覆うリブ部３２外方の主板３０内の水が、溢れても、モータ部２４の外方へ溢れ出すので、モータ部２４への水の浸入を抑制できる。
【００３９】
また、モータ保持部２３は、周縁部から下方に伸びた円環形状の整流リング３３を有している。本体ケース１の天面から見ると、整流リング３３の外周面と、リブ部３２の外周面とは実質的に同一面である。
【００４０】
これにより、吹出口２から誤って水が浸入した場合に、モータカバー部分２８に落下するか、または、モータカバー部分２８の外方に落下するものである。まず、モータカバー部分２８に落下すると、モータカバー部分２８の上面から、周縁部を介して下方へ落下する。この落下する水は、整流リング３３の外周面と、リブ部３２の外周面とは実質的に同一面であるので、モータ部２４の下部を覆うリブ部３２外方の主板３０内へ落下する。結果として、主板３０の上面から上方へ伸びた円環形状のリブ部３２によって、モータ部２４への水の浸入を抑制できる。また、モータカバー部分２８の外方に落下すると、同様に、この落下する水は、整流リング３３の外周面と、リブ部３２の外周面とは実質的に同一面であるので、モータ部２４の下部を覆うリブ部３２外方の主板３０内へ落下する。結果として、主板３０の上面から上方へ伸びた円環形状のリブ部３２によって、モータ部２４への水の浸入を抑制できる。
【００４１】
モータ保持部２３の上面であるモータカバー部分２８は上方へ凸形状である。これにより、吹出口２から誤って水が浸入した場合に、モータカバー部分２８の上面へ落下した水は、モータカバー部分２８の外方へ跳ね易くなり、結果として、羽根部２５の外方へ水が落下し、モータ部２４への水の浸入を抑制できる。
【産業上の利用可能性】
【００４２】
本発明は、吸込口と吹出口を有する箱形状の本体ケースと、前記吸込口に設けられた空気調和手段と、この空気調和手段と前記吹出口との間に設けた送風手段とからなり、前記吹出口は、前記本体ケースの天面に位置し、前記吹出口の下方に前記送風手段を備え、前記送風手段は、前記吹出口と前記吸込口との間の風路に設けたモータ保持部と、このモータ保持部に固定されたモータ部と、このモータ部の下面から鉛直下方に伸びたモータ軸に固定された羽根部とからなり、前記モータ保持部は、前記吹出口と前記吸込口との間の上下方向に伸びた風路である前記本体ケースから内方へ伸びた複数の足部分と、これらの複数の足部分に支持されると共に、前記モータ部を固定可能なモータ下受け部分と、前記モータ部の上面を覆うモータカバー部分とからなり、前記羽根部は、椀形状でモータ軸に固定される主板と、この主板の下面から下方へ伸びた複数の羽根とからなり、前記主板は、前記モータ部の下部を覆うと共に、前記本体ケースの天面から見ると、前記モータカバー部分より大きい構成とし、前記主板の上面に水進入防止手段を設けたことを特徴としたものである。
【００４３】
すなわち、羽根部は、椀形状でモータ軸に固定される主板と、この主板の下面から下方へ伸びた複数の羽根とからなり、主板は、モータ部の下部を覆うと共に、本体ケースの天面から見ると、モータカバー部分より大きい構成とし、主板の上面に水進入防止手段を設けたので、吹出口から誤って水が浸入した場合に、モータ部へ水が浸入するのを抑制できるので、加湿、空気清浄、加湿空気清浄機等の空調機等として有用である。
【符号の説明】
【００４４】
１      本体ケース
２      吹出口
３      吸込口
４      清浄フィルタ
５      加湿手段
６      送風手段
７      風量割合調節手段
８      第１の吸込口
９      第２の吸込口
１０      仕切り板
１１      清浄風路
１２      加湿清浄風路
１３      円筒
１４      遮蔽部
１６      側面開口
１７      上面開口
１８      下面開口
２０      貯水容器
２１      加湿フィルター
２２      ギア
２３      モータ保持部
２４      モータ部
２５      羽根部
２６      足部分
２７      モータ下受け部分
２８      モータカバー部分
２９      モータ軸
３０      主板
３１      羽根
３２      リブ部
３３      整流リング
３４      孔
【図１】
2015045259.tif 000003
【図２】
2015045259.tif 000004
【図３】
2015045259.tif 000005
【図４】
2015045259.tif 000006
【図５】
2015045259.tif 000007
【図６】
2015045259.tif 000008
【図７】
2015045259.tif 000009
【図８】
2015045259.tif 000010